(57)【特許請求の範囲】
【請求項１】
耕作地の水位を感知するセンサー部と、用水路から耕作地への入水を遮断するためのシャッター部と、シャッター部を作動させる駆動部と、をそれぞれ分離自在に有する灌漑用水自動遮断装置であって、
センサー部は、耕作地の所定の水位を感知して駆動部を作動させるマイクロスイッチを有し、
シャッター部は、用水路と耕作地を繋ぐ入水口を閉止する自重落下可能なシャッタープレートを有し、
駆動部は、シャッター部の耕作地側に脱着自在であると共に、用水路から耕作地へ入水中には、耕作地側からシャッター部を横貫して用水路側に突出し、シャッタープレートを下支えして入水口を開口した状態に保持する保持部材を有し、
保持部材は、センサー部が所定の水位を感知した際には、シャッター部の用水路側に突出すると共にシャッタープレートを下支えする部分を抜出することで、シャッタープレートを自重落下させて用水路から耕作地への入水を遮断可能であることを特徴とする、灌漑用水自動遮断装置。
【発明の詳細な説明】
【技術分野】
【０００１】
本発明は、耕作地の水位を感知して自動的に給水を遮断する灌漑用水自動遮断装置に関する。
【背景技術】
【０００２】
従来、水田の水位を自動的に調整する装置としては、後記特許文献などで提案される装置がある。
【先行技術文献】
【特許文献】
【０００３】
【特許文献１】実用新案登録第３１１０８３２号公報
【発明の概要】
【発明が解決しようとする課題】
【０００４】
特許文献１では、内側ケース内には水田の水位を検出するフロートが設けられており、外側ケースの上部には受水部と連通する送水筒部を有し、送水筒部内にはギヤボックスが設けられ、ギヤボックス内にはフロートと連動するラックとピニオン装置が収納されていることを特徴とする水田用自動水位調整装置が提案されている。しかしながら、このような構成の場合、装置の構造や機構が非常に複雑であり、コストがかかると共に装置自体のサイズも大がかりなものとなるため、実際に使用することは難しい。またサイズが大きいため、使用しない時や、他の水田で使用したい時に持ち運びすることも難しい。
【０００５】
本発明は上記実情を基に開発されたもので、簡単な構造で、且つ、持ち運びしやすい灌漑用水自動遮断装置の提供をすることを目的としている。
【課題を解決するための手段】
【０００６】
前記の課題を解決するための本発明は、耕作地の水位を感知するセンサー部と、用水路から耕作地への入水を遮断するためのシャッター部と、シャッター部を作動させる駆動部と、をそれぞれ分離自在に有する灌漑用水自動遮断装置であって、センサー部は、耕作地の所定の水位を感知して駆動部を作動させるマイクロスイッチを有し、シャッター部は、用水路と耕作地を繋ぐ入水口を閉止する自重落下可能なシャッタープレートを有し、駆動部は、シャッター部の耕作地側に脱着自在であると共に、用水路から耕作地へ入水中には、耕作地側からシャッター部を横貫して用水路側に突出し、シャッタープレートを下支えして入水口を開口した状態に保持する保持部材を有し、保持部材は、センサー部が所定の水位を感知した際には、シャッター部の用水路側に突出すると共にシャッタープレートを下支えする部分を抜出することで、シャッタープレートを自重落下させて用水路から耕作地への入水を遮断可能であることを特徴とする。
【発明の効果】
【０００７】
本発明によれば、簡単な構造であり、且つ、持ち運びしやすいものであるので、不要時に簡単に撤収可能であり、又、他の耕作地への使い回しもしやすいものとなる。
【図面の簡単な説明】
【０００８】
【図１】本発明の灌漑用水自動遮断装置の設置状態を示す斜視図である。
【図２】本発明の灌漑用水自動遮断装置におけるセンサー部を示す斜視図である。
【図３】（イ）、（ロ）、（ハ）図は、本発明の灌漑用水自動遮断装置におけるシャッター部を示す斜視図であって、（イ）はシャッター部を構成する一つであるシャッタープレートの斜視図、（ロ）は、用水路側から見た枠板とベースプレートの斜視図、（ハ）は、耕作地側から見た枠板の斜視図である。
【図４】本発明の灌漑用水自動遮断装置における駆動部の第一実施形態を示す斜視図である。
【図５】（イ）、（ロ）は本発明の灌漑用水自動遮断装置の使用状態を示す概念図であって、（イ）はセッティング時の状態、（ロ）はシャッタープレートの保持が解除されて入水口を閉止した状態を示す概念図である。
【図６】本発明の灌漑用水自動遮断装置における駆動部の第二実施形態を示す斜視図である。
【発明を実施するための形態】
【０００９】
以下、本発明の実施の形態を図１から図６を参照して説明する。本発明の灌漑用水自動遮断装置１０は、図１に示すように、耕作地Ｃの水位を感知するセンサー部１２と、用水路Ａから耕作地Ｃへの入水を遮断するためのシャッター部１３と、シャッター部１３を作動させる駆動部１４と、を有している。なお、センサー部１２と、シャッター部１３と、駆動部１４は、それぞれ分離自在に構成されており、持ち運びしやすいものであるので、不要時に簡単に撤収可能であり、又、他の耕作地Ｃへの使い回しもしやすい
【００１０】
センサー部１２は、図１に示すように、耕作地Ｃに設置されるものであって、図２に示すように、耕作地Ｃの水面に浮くことが可能なフロート２３と、フロート２３の上面に突設された可動シャフト２１を有し、図５（イ）、（ロ）に示すように、可動シャフト２１は、フロート２３と共に、耕作地Ｃの水位の上昇に伴い上方に移動し、マイクロスイッチ２０に接触することが可能である。なお、マイクロスイッチ２０の位置や可動シャフト２１の長さは任意であり、耕作地Ｃの水位が使用者の希望する水位に達した時に、マイクロスイッチ２０に可動シャフト２１が接触するように適宜調整することが可能である。そして、フロート２３の周囲には防波部材２４が設置されており、防波部材２４には固定部材２５が備えられている。固定部材２５は、可動シャフト２１が上方に移動してマイクロスイッチ２０に適切に接触するための空芯パイプ２２を固定するためのものであって、締結具２６によって空芯パイプ２２と固着している。そして、マイクロスイッチ２０は、防滴袋２７に覆われると共に、電線に接続しており、その電線の端末には接続子１７を備えている。なお、マイクロスイッチ２０の接続子１７は、防滴カバー付きのものであると共に、接続ケーブル１８に繋がっており、接続ケーブル１８を介して駆動部１４に接続している。
【００１１】
シャッター部１３は、図１に示すように、用水路Ａ側の畦（道路）Ｂの入水枡等に設置されるものであって、図３に示すように、枠板３０と、ベースプレート３３と、シャッタープレート３７と、から構成されている。そして、枠板３０は、用水路Ａと耕作地Ｃを繋ぐ枠板入水口３２と、後記する保持部材４２が貫通するための枠板貫通孔３１を有すると共に、用水路Ａ側にベースプレート３３を固着している。そして、ベースプレート３３には、枠板３０の枠板入水口３２と枠板貫通孔３１に連通する、プレート入水口３５と、プレート貫通孔３４をそれぞれ有すると共に、左右両側にシャッターレール３６を有する。そして、シャッタープレート３７は、前記したシャッターレール３６に沿って、上下にスライド可能なものであって、自重によって落下し、枠板入水口３２と、プレート入水口３５を閉止することが可能である。
【００１２】
駆動部１４は、図１に示すように、シャッター部１３の耕作地Ｃ側に脱着自在なものであって、図４、図６に示すように、防滴ボックス４０と、防滴ボックス４０をシャッター部１３の耕作地Ｃ側に取り付けるための取付金具４１と、保持部材４２と、駆動部材４３とから構成されている。そして、防滴ボックス４０は、防滴ボックス本体４０ａと、蓋４０ｂからなり、本発明の灌漑用水自動遮断装置１０における駆動部１４の第一実施形態では、図４に示すように、防滴ボックス本体４０ａ内には、回路内蔵スイッチボックス４４と、電池ボックス４５と、電池４６と、ＤＣソレノイド５１が収められており、ＤＣソレノイド５１の可動鉄芯は防滴ボックス本体４０ａの下端から突き出し可能となっている。なお、ＤＣソレノイド５１は、電流を流すことにより、磁界を発生させ可動鉄芯を吸い寄せる（吸引する）ことが可能である。また、本発明の灌漑用水自動遮断装置１０における駆動部１４の第一実施形態では、保持部材４２として、前記した枠板貫通孔３１とプレート貫通孔３４を貫通し、シャッタープレート３７を下支えし、枠板入水口３２とプレート入水口３５を開口した状態に保持するシャッターピン５０を有していると共に、駆動部材４３として、前記したＤＣソレノイド５１の他に駆動板５２と、駆動ベース板５３と、付勢部材５４と、ピン抜止５５と、ピン駆動座５６を有している。なお、保持部材４２と、駆動部材４３は、本発明の灌漑用水自動遮断装置１０における駆動部１４の第二実施形態として図６に示すように、サーボアーム６０と、アクチュエータ６１を用いたものでも問題ない。なお、アクチュエータ６１は、ＤＣモータ部、減速機構部、サーボアンプ部（モータを駆動するための回路）を有しているものである。
【００１３】
以上のような灌漑用水自動遮断装置１０は、以下のようにして使用する。まず、センサー部１２を耕作地Ｃに設置すると共に、シャッター部１３を用水路Ａ側の畦（道路）Ｂの入水枡に設置し、そのシャッター部１３の耕作地Ｃ側に駆動部１４を取り付ける。そして、図５（イ）に示すように、接続子１７と接続ケーブル１８を使用して、センサー部１２と駆動部１４を電気的に接続する。次に、シャッター部１３のシャッタープレート３７を上方にスライドさせ、枠板入水口３２と、プレート入水口３５を開口した状態にし、用水路Ａから耕作地Ｃに入水を開始する。そして、保持部材４２（第一実施形態でのシャッターピン５０、第二実施形態でのサーボアーム６０）でシャッタープレート３７を下支えし、枠板入水口３２とプレート入水口３５を開口した状態に保持する。なお、本発明の灌漑用水自動遮断装置１０における駆動部１４の第一実施形態では、その後、駆動板５２をＤＣソレノイド５１の可動鉄芯で固定し、シャッター部１３の用水路Ａ側に突出すると共にシャッタープレート３７を下支えするシャッターピン５０が抜出しないように固定する。そして、回路内蔵スイッチボックス４４を起動する。そしてその後、耕作地Ｃの水位が徐々に上がってくると、フロート２３の浮力で可動シャフト２１が徐々に上方に移動し、耕作地Ｃの水位が使用者の希望する水位になると、図５（ロ）に示すように、可動シャフト２１がマイクロスイッチ２０に接触し、マイクロスイッチ２０がＯＮになる。すると、ＤＣソレノイド５１は、磁界を発生させ可動鉄芯を吸い寄せる（吸引する）、状態になり、駆動板５２の固定が解除され、付勢部材５４の付勢力によってシャッターピン５０が抜出し、下支えのなくなったシャッタープレート３７が自重落下し、枠板入水口３２と、プレート入水口３５が閉止され、灌漑用水を遮断する。なお、本発明の灌漑用水自動遮断装置１０における駆動部１４の第二実施形態では、サーボアーム６０がシャッターピン５０の代わりにシャッタープレート３７を下支えしており、マイクロスイッチ２０がＯＮになると、アクチュエータ６１が作動し、サーボアーム６０が任意の角度で回転し、下支えのなくなったシャッタープレート３７が自重落下し、枠板入水口３２と、プレート入水口３５が閉止され、灌漑用水を遮断する。
【００１４】
なお、上記開示された本発明の実施形態の構造は、あくまで例示である。本発明の技術的範囲は、特許請求の範囲の記載によって示されると共に、当該記載と均等と評価される技術的構成まで含むものである。
【符号の説明】
【００１５】
１０    灌漑用水自動遮断装置
１２    センサー部
１３    シャッター部
１４    駆動部
１７    接続子
１８    接続ケーブル
２０    マイクロスイッチ
２１    可動シャフト
２２    空芯パイプ
２３    フロート
２４    防波部材
２５    固定部材
２６    締結具
２７    防滴袋
３０    枠板
３１    枠板貫通孔
３２    枠板入水口
３３    ベースプレート
３４    プレート貫通孔
３５    プレート入水口
３６    シャッターレール
３７    シャッタープレート
４０    防滴ボックス
４０ａ  防滴ボックス本体
４０ｂ  蓋
４１    取付金具
４２    保持部材
４３    駆動部材
４４    回路内蔵スイッチボックス
４５    電池ボックス
４６    電池
５０    シャッターピン
５１    ＤＣソレノイド
５２    駆動板
５３    駆動ベース板
５４    付勢部材
５５    ピン抜止
５６    ピン駆動座
６０    サーボアーム
６１    アクチュエータ
Ａ      用水路
Ｂ      畦（道路）
Ｃ      耕作地
【図１】
0006285833.tif 000002
【図２】
0006285833.tif 000003
【図３】
0006285833.tif 000004
【図４】
0006285833.tif 000005
【図５】
0006285833.tif 000006
【図６】
0006285833.tif 000007